(57)【要約】【課題】プリント配線板の実装スペースを無駄にすることなく充分な保持力を得る。【解決手段】プリント配線板４，５の背面側の端部にそれぞれコネクタ７，８が取り付けられ、この端部近傍の前後方向に沿った両側端縁にはそれぞれ切り欠き部４ａ，５ａが設けてある。保持部材１０の一対の保持片１０ａには切り欠き部４ａ，５ａにそれぞれ嵌合する嵌合部１０ｂが設けられている。したがって、各保持片１０ａの嵌合部１０ｂをプリント配線板４，５の切り欠き部４ａ，５ａにそれぞれ嵌合することにより、２つのプリント配線板４，５が保持部材１０によって強固に保持される。【選択図】　　　　図１
2004128348.tif 000002
【特許請求の範囲】
【請求項１】
電子部品が実装された複数のプリント配線板を本体ケース内に収納し、外部からの給電や信号伝送用の１乃至複数のコネクタを前記プリント配線板に取り付けて本体ケースの背面に露出させた電子機器において、前記コネクタを複数のプリント配線板の端部にそれぞれ取り付けるとともに該端部の近傍の各プリント配線板の両側端縁に切り欠き部を設け、絶縁性を有する合成樹脂成形品からなり前記切り欠き部にそれぞれ嵌合する複数の嵌合部を有して複数のプリント配線板を保持する保持部材を備えたことを特徴とする電子機器におけるプリント配線板の保持構造。
【請求項２】
電子部品が実装された複数のプリント配線板を本体ケース内に収納し、外部からの給電や信号伝送用の１乃至複数のコネクタを前記プリント配線板に取り付けて本体ケースの背面に露出させた電子機器において、前記コネクタを複数のプリント配線板の端部にそれぞれ取り付けるとともに該端部の近傍の各プリント配線板の両側端縁に切り欠き部を設けるとともに、絶縁性を有する合成樹脂成形品からなる保持部材に前記切り欠き部にそれぞれ嵌合する複数の嵌合部を設け、各切り欠き部に複数の嵌合部をそれぞれ嵌合させて前記保持部材により複数のプリント配線板を保持させることを特徴とする電子機器におけるプリント配線板の保持方法。
【発明の詳細な説明】
【０００１】
【発明の属する技術分野】
本発明は、タイマやカウンタ、あるいはプログラマブルコントローラ等の電子機器におけるプリント配線板の保持構造並びに保持方法に関するものである。
【０００２】
【従来の技術】
タイマやカウンタ、あるいはプログラマブルコントローラ等の電子機器は、それぞれの機能を達成する回路が複数のプリント配線板と各プリント配線板に実装された多数の電子部品によって実現され、これら複数のプリント配線板を本体ケース内に収納して構成されている。このような電子機器の一例として、制御盤のパネルに設けられた取付孔に本体ケースの後端部を埋め込むようにして取り付けられる、所謂埋込型のプログラマブルコントローラ（以下、「ＰＬＣ」と略す）が特許文献１に記載されている。
【０００３】
特許文献１に記載されているＰＬＣは、図４に示すように両端が開口する角筒状の本体ケース２０と、本体ケース２０の前面を塞ぐ前面カバー２１と、本体ケース２０の背面を塞ぐ背面カバー２２とを備え、専用の取付具２３を用いて制御盤のパネルＰに設けられた取付孔（図示せず）に本体ケース２０の後端部を埋め込むようにして取り付けられる。なお、詳細な説明は省略するが、ＰＬＣ以外の電子機器、例えばタイマやカウンタにも制御盤のパネルＰに埋め込み取り付けが可能なものがある。
【０００４】
ここで、埋込型のＰＬＣ等では給電用や被制御機器等との信号伝送用のコネクタを本体ケース２０の背面（背面カバー２２）に設ける必要がある。そのため、図５に示すように複数のコネクタ２４が取り付けられたプリント配線板２５を、本体ケース２０の軸方向（前後方向）に沿って並置されている複数のプリント配線板２６，２７の端部にはんだ付けにより電気的に接続（以下、このような接続形態を「直角はんだ」と呼ぶ）し、背面カバー２２に設けられた透孔２２ａを通して各コネクタ２４が露出させてあって、コネクタ２４を介してプリント配線板２５が背面カバー２２に保持される構造となっていた。なお、プリント配線板を保持する保持構造として、合成樹脂製の本体ケースから立ち上げられたリブに引掛部を設け、該引掛部にプリント配線板を引っ掛けて保持する保持構造が特許文献２に開示されている。
【０００５】
【特許文献１】
特開２００２−２３８１０号公報（第３−４頁、第２図）
【特許文献２】
特開平１１−３０７９６１号公報（第２−第３頁、第１図）
【０００６】
【発明が解決しようとする課題】
ところで、特許文献１に記載された従来例において、背面カバー２２は通常、絶縁性を有する合成樹脂成形品からなるが、プリント配線板２６，２７と同程度の寸法のコネクタ２４が必要な場合、背面カバー２２に設けられる透孔２２ａの周縁部２２ｂの肉厚が薄くなって充分な強度が確保できない虞があった。また、コネクタ２４にソケット３０を挿抜する際にプリント配線板２５とプリント配線板２６，２７との直角はんだされた部位に応力がはたらいてはんだの剥がれ等が生じ、プリント配線板２６，２７の保持力を確保することが困難であった。さらに、直角はんだを実施するためにプリント配線板２５〜２７にはんだ付け用のランドを設けるためのスペースが必要となり、プリント配線板２５〜２７における部品の実装スペースを有効に使うことができなかった。なお、特許文献２に開示されている保持構造では、これらの問題を解決することはできない。
【０００７】
本発明は上記事情に鑑みて為されたものであり、その目的は、プリント配線板の実装スペースを無駄にすることなく充分な保持力が得られる電子機器におけるプリント配線板の保持構造並びに保持方法を提供することにある。
【０００８】
【課題を解決するための手段】
請求項１の発明は、上記目的を達成するために、電子部品が実装された複数のプリント配線板を本体ケース内に収納し、外部からの給電や信号伝送用の１乃至複数のコネクタを前記プリント配線板に取り付けて本体ケースの背面に露出させた電子機器において、前記コネクタを複数のプリント配線板の端部にそれぞれ取り付けるとともに該端部の近傍の各プリント配線板の両側端縁に切り欠き部を設け、絶縁性を有する合成樹脂成形品からなり前記切り欠き部にそれぞれ嵌合する複数の嵌合部を有して複数のプリント配線板を保持する保持部材を備えたことを特徴とする。
【０００９】
請求項２の発明は、上記目的を達成するために、電子部品が実装された複数のプリント配線板を本体ケース内に収納し、外部からの給電や信号伝送用の１乃至複数のコネクタを前記プリント配線板に取り付けて本体ケースの背面に露出させた電子機器において、前記コネクタを複数のプリント配線板の端部にそれぞれ取り付けるとともに該端部の近傍の各プリント配線板の両側端縁に切り欠き部を設けるとともに、絶縁性を有する合成樹脂成形品からなる保持部材に前記切り欠き部にそれぞれ嵌合する複数の嵌合部を設け、各切り欠き部に複数の嵌合部をそれぞれ嵌合させて前記保持部材により複数のプリント配線板を保持させることを特徴とする。
【００１０】
【発明の実施の形態】
以下、図１〜図３を参照して本発明の一実施形態を詳細に説明する。但し、本実施形態では電子機器として従来例で説明した埋込型のＰＬＣを例示するが、これに限定する趣旨ではなく、タイマやカウンタ、あるいはこれ以外の電子機器全般に本発明の技術思想が適用可能である。
【００１１】
図１に示すように本体ケース１は有底角筒状に形成され、開口面（前面）には前面カバー２が被着されて密閉される。前面カバー２の背面には嵌合孔２ｂが穿孔された複数の組立片２ａが突設されており、本体ケース１の内側に設けられている嵌合突部（図示せず）を嵌合孔２ｂに嵌合することで本体ケース１と前面カバー２が組み立てられる。
【００１２】
本体ケース１の内部には、ＣＰＵやメモリ、並びに入出力回路等のＰＬＣの機能を実現するための回路を構成する様々な電子部品が実装された複数のプリント配線板３〜６が収納される。プリント配線板３は、法線方向を本体ケース１の前後方向に一致させるようにして前面カバー２の背面側に配置される。また、２つのプリント配線板４，５は、互いの法線方向を本体ケース１の左右方向に一致させるようにして本体ケース１内に対向させて配置される。ここで、プリント配線板４，５の背面側の端部にそれぞれコネクタ７，８がはんだ付けにより取り付けられ、この端部近傍の前後方向に沿った両側端縁にはそれぞれ切り欠き部４ａ，５ａが設けてある。さらに、プリント配線板６は中央部にコネクタ９がはんだ付けにより取り付けられ、プリント配線板３と同様に法線方向を本体ケース１の前後方向に一致させるようにして、後述する保持部材１０に保持されて本体ケース１の背面側に配置される。
【００１３】
保持部材１０は絶縁性を有する合成樹脂成形品からなり、図２に示すように両端部にプリント配線板４，５の切り欠き部４ａ，５ａにそれぞれ嵌合する嵌合部１０ｂが設けられた帯板状の一対の保持片１０ａと、これら一対の保持片１０ａをそれぞれの端部近傍で連結する帯板状の一対の連結片１０ｃとが一体に形成されている。
【００１４】
すなわち、図３に示すように各保持片１０ａの端部の嵌合部１０ｂをプリント配線板４，５の切り欠き部４ａ，５ａにそれぞれ嵌合することにより、２つのプリント配線板４，５が保持部材１０によって強固に保持されることになる。ここで、保持片１０ａの先端には嵌合部１０ｂに向かって内向きに傾斜する傾斜面１０ｄが形成されており、この傾斜面１０ｄに切り欠き部４ａ，５ａを摺接するようにしてプリント配線板４，５を押し込むことにより、保持片１０ａの弾性を利用してプリント配線板４，５の切り欠き部４ａ，５ａに保持片１０ａの嵌合部１０ｂを簡単に嵌合させることができる。なお、プリント配線板６は２つのプリント配線板４，５に対して図示しないフラットケーブル等により電気的に接続される。
【００１５】
また、保持片１０ａの背面側にはプリント配線板６を嵌め込む凹溝１０ｅが設けられ、この凹溝１０ｅにプリント配線板６を嵌め込んで保持するとともに、本体ケース１の背面と保持部材１０との間でプリント配線板６を挟持して固定する。ここで、本体ケース１の背面にはコネクタ７〜９の外形に合わせた矩形の透孔１ａが３つ設けてあり、保持部材１０に保持されたプリント配線板４〜６を本体ケース１内に収納すれば、各コネクタ７〜９が透孔１ａを通して本体ケース１の外部へ露出することになる。
【００１６】
本実施形態は上述のように構成したものであるから、コネクタ７〜９の寸法によって保持部材１０の肉厚が影響を受けることがなく、プリント配線板４，５をより強固に保持することができ、コネクタ７〜９に対するソケット３０の挿抜力に負けない充分な保持力が得られる。しかも、従来例のようにプリント配線板４〜６を直角はんだする必要がないから、直角はんだ用のランドを設けるスペースが不要となり、プリント配線板４〜６の実装スペースを有効に利用することができる。
【００１７】
【発明の効果】
請求項１の発明は、電子部品が実装された複数のプリント配線板を本体ケース内に収納し、外部からの給電や信号伝送用の１乃至複数のコネクタを前記プリント配線板に取り付けて本体ケースの背面に露出させた電子機器において、前記コネクタを複数のプリント配線板の端部にそれぞれ取り付けるとともに該端部の近傍の各プリント配線板の両側端縁に切り欠き部を設け、絶縁性を有する合成樹脂成形品からなり前記切り欠き部にそれぞれ嵌合する複数の嵌合部を有して複数のプリント配線板を保持する保持部材を備えたことを特徴とし、コネクタの寸法によって保持部材の肉厚が影響を受けることがなく、プリント配線板をより強固に保持することができ、コネクタに対するソケットの挿抜力に負けない充分な保持力が得られ、しかも、従来例のようにプリント配線板を直角はんだする必要がないから、直角はんだ用のランドを設けるスペースが不要となり、プリント配線板の実装スペースを有効に利用することが可能な保持構造が実現できる。
【００１８】
請求項２の発明は、電子部品が実装された複数のプリント配線板を本体ケース内に収納し、外部からの給電や信号伝送用の１乃至複数のコネクタを前記プリント配線板に取り付けて本体ケースの背面に露出させた電子機器において、前記コネクタを複数のプリント配線板の端部にそれぞれ取り付けるとともに該端部の近傍の各プリント配線板の両側端縁に切り欠き部を設けるとともに、絶縁性を有する合成樹脂成形品からなる保持部材に前記切り欠き部にそれぞれ嵌合する複数の嵌合部を設け、各切り欠き部に複数の嵌合部をそれぞれ嵌合させて前記保持部材により複数のプリント配線板を保持させることを特徴とし、コネクタの寸法によって保持部材の肉厚が影響を受けることがなく、プリント配線板をより強固に保持することができ、コネクタに対するソケットの挿抜力に負けない充分な保持力が得られ、しかも、従来例のようにプリント配線板を直角はんだする必要がないから、直角はんだ用のランドを設けるスペースが不要となり、プリント配線板の実装スペースを有効に利用することが可能な保持方法が実現できる。
【図面の簡単な説明】
【図１】実施形態における電子機器の分解斜視図である。
【図２】同上における保持部材の平面図である。
【図３】同上におけるプリント配線板の保持構造を示す斜視図である。
【図４】従来例における電子機器を示し、（ａ）は正面図、（ｂ）は側面図、（ｃ）はパネルに取り付けた状態の側面図である。
【図５】従来例を示す一部省略した分解斜視図である。
【符号の説明】
１　本体ケース
４　プリント配線板
４ａ　切り欠き部
５　プリント配線板
５ａ　切り欠き部
６　プリント配線板
７　コネクタ
８　コネクタ
９　コネクタ
１０　保持部材
１０ａ　保持片
１０ｂ　嵌合部
【図１】
2004128348.tif 000003
【図２】
2004128348.tif 000004
【図３】
2004128348.tif 000005
【図４】
2004128348.tif 000006
【図５】
2004128348.tif 000007